(57)【要約】【課題】摺動による金属粉の発生を防止し電気的導通コネクタの導通特性の安定確保ができる電気導通コネクタのロック・アンロック装置を実現する。【解決手段】一端を中心に振り子状に動作する操作レバーと、この操作レバーの他端が係止され円弧動作をして電気導通コネクタのロック・アンロック操作をするガイド部とを有する電気導通コネクタのロック・アンロック装置において、前記ガイド部に直交して設けられたガイドピンと、一端が前記電気導通コネクタに設けられた操作レバー本体とこの操作レバー本体の他端に一端が回転自由に直交して設けられ他端がフォーク状をなして前記ガイドピンの周面を挟持するガイドピンクランプとを有する操作レバーとを具備したことを特徴とする電気導通コネクタのロック・アンロック装置である。【選択図】図１
2007165218.tif 000002
【特許請求の範囲】
【請求項１】
操作レバーの他端が係止され円弧動作をして電気導通コネクタのロック・アンロック操作をするガイド部を有する電気導通コネクタのロック・アンロック装置において、
前記ガイド部に直交して設けられたガイドピンと、
一端が前記電気導通コネクタに設けられた操作レバー本体とこの操作レバー本体の他端に一端が回転自由に直交して設けられ他端がフォーク状をなして前記ガイドピンの周面を挟持するガイドピンクランプとを有する操作レバーと
を具備したことを特徴とする電気導通コネクタのロック・アンロック装置。
【請求項２】
前記操作レバー本体の前記他端に一端が回転自由に設けられ前記ガイドピンクランプの前記一端に他端が接続された回転軸
を具備したことを特徴とする請求項１記載の電気導通コネクタのロック・アンロック装置。
【発明の詳細な説明】
【技術分野】
【０００１】
本発明は、摺動による金属粉の発生を防止し電気的導通コネクタの導通特性の安定確保ができる電気導通コネクタのロック・アンロック装置に関するものである。
【背景技術】
【０００２】
電気導通コネクタのロック・アンロック装置に関連する先行技術文献としては次のようなものがある。
【非特許文献１】横河電機株式会社発行、General  Specifications、「ＭＴ６０６０  メモリテストシステム」、２００５年４月２２日  ３版、Ｐ１
【０００３】
図４は従来より一般に使用されている従来例の構成説明図、図５は図４の平面図、図６は図４の側面図、図７は図４の丸印の箇所の拡大図である。
【０００４】
図において、１はベースプレートで、ベースプレート１には、放射状に多数の電気導通コネクタ２が配置され全体としてリング状に配置されている。
電気導通コネクタ２の外側には図７に示す如く、電気導通コネクタ２を取り巻いてリング状のガイド部３が配置されている。
【０００５】
図８は、電気導通コネクタ２とリング状のガイド部３の関係を模式的に示した図で、図９は図８の平面図、図１０は図８の側面図、図１１は図８の動作説明図である。
図において、操作レバー４は、一端が電気導通コネクタ２に接続され、図１０に示す如く、一端を中心に振り子状に円弧運動して、電気導通コネクタ２のロック・アンロックをする。
この場合は、図１０において、電気導通コネクタ２は紙面の右側でアンロック、紙面の左側でロック状態となる。
操作レバーピン５は、操作レバー４の他端に一端が直交して設けられ、他端がガイド部３に設けられた切欠溝６に配置されている。
操作レバーピン５はステンレス材よりなり、ガイド部３は金属材よりなる。
【０００６】
以上の構成において、その動作を説明する。
ガイド部３が図９の矢印Ａに示す如く、時計方向又は反時計方向の円弧運動することにより、複数の電気気導通コネクタ２は、いっせいに、ロック又はアンロック状態にする。
【発明の開示】
【発明が解決しようとする課題】
【０００７】
このような装置においては、以下の間題点がある。
ガイド部３の材質が金属製であった為、電気的導通コネクタ２のロック・アンロック動作を重ねるにつれ摺動部分から金属粉が発生し、電気的特性の障害の要因になっていた。
操作レバー４の動作軌跡が直線運動に対し、ガイド部３が円弧運動する為、図１１に×印で示す如く、操作レバーピン５の他端側が切欠溝６と摺動する部分が一定の場所でなく、エッジのかかった接触となり、操作レバーピン５と切欠溝６の相互の材質の硬度が低い部品が削れやすい。
【０００８】
本発明の目的は、上記の課題を解決するもので、電気的導通特性の障害となりうる金属粉の発生を防止し、電気的特性の安定化を図ることができる電気導通コネクタのロック・アンロック装置を提供することにある。
【課題を解決するための手段】
【０００９】
このような課題を達成するために、本発明では、請求項１の電気導通コネクタのロック・アンロック装置においては、
操作レバーの他端が係止され円弧動作をして電気導通コネクタのロック・アンロック操作をするガイド部を有する電気導通コネクタのロック・アンロック装置において、前記ガイド部に直交して設けられたガイドピンと、一端が電気導通コネクタに設けられた操作レバー本体とこの操作レバー本体の他端に一端が回転自由に直交して設けられ他端がフォーク状をなして前記ガイドピンの周面を挟持するガイドピンクランプとを有する操作レバーとを具備したことを特徴とする。
【００１０】
本発明の請求項２の電気導通コネクタのロック・アンロック装置においては、請求項１記載の電気導通コネクタのロック・アンロック装置において、
前記操作レバー本体の前記他端に一端が回転自由に設けられ前記ガイドピンクランプの前記一端に他端が接続された回転軸を具備したことを特徴とする。
【発明の効果】
【００１１】
本発明の請求項１によれば、次のような効果がある。
摺動面に対してエッジが（角が）かかる事無く、常に一定接触面により摩耗の発生を防止でき、また、金属粉の発生を防止できる電気導通コネクタのロック・アンロック装置が得られる。
電気的導通コネクタの操作レバーの回転機構と形状変更により、ガイド部の切欠溝が不要になり簡潔なガイドピンのみで構成でき、安価な電気導通コネクタのロック・アンロック装置が得られる。
【００１２】
本発明の請求項２によれば、次のような効果がある。
操作レバー本体の他端に一端が回転自由に設けられ、ガイドピンクランプの一端に他端が接続された回転軸が設けられたので、構成が簡潔にでき、安価な電気導通コネクタのロック・アンロック装置が得られる。
【発明を実施するための最良の形態】
【００１３】
以下本発明を図面を用いて詳細に説明する。
図１は本発明の一実施例の要部構成説明図、図２は図１の平面図、図３は図２の側面図である。
図において、図８と同一記号の構成は同一機能を表す。
以下、図８との相違部分のみ説明する。
【００１４】
図１において、ガイドピン１１は、ガイド部３に直交して設けられている。
操作レバー１２は、操作レバー本体１２１とガイドピンクランプ１２２とよりなる。
操作レバー本体１２１は、図３に示す如く、一端が電気導通コネクタ２に設けられ、一端を中心に振り子状に円弧動作する。
ガイドピンクランプ１２２は、操作レバー本体１２１の他端に一端が回転自由に直交して設けられ、他端がフォーク状をなして、ガイドピン１１の周面を挟持する。
この場合は、操作レバー本体１２１の他端に一端が回転自由に設けられ、ガイドピンクランプ１２１の一端に他端が接続された回転軸１２３が使用されている。
【００１５】
以上の構成において、その動作を説明する。
ガイドピンクランプ１２２は、ガイドピン１１を挟持しているので、ガイド部３が図２の矢印Ａに示す如く、時計方向又は反時計方向の円弧動作することにより、図３に示す如く、ガイドピンクランプ１２２は、ガイドピン１１の円弧動作につれて、図３の紙面の左右方向に水平を保ったまま移動し、操作レバー本体１２１は振り子状に円弧動作する。
【００１６】
この結果、
摺動面に対してエッジが（角が）かかる事無く、常に一定接触面により摩耗の発生を防止でき、また、金属粉の発生を防止できる電気導通コネクタのロック・アンロック装置が得られる。
電気的導通コネクタ２の操作レバーの回転機構と形状変更により、ガイド部の切欠溝が不要になり簡潔なガイドピンのみで構成でき、安価な電気導通コネクタのロック・アンロック装置が得られる。
操作レバー本体１２１の他端に一端が回転自由に設けられ、ガイドピンクランプ１２２の一端に他端が接続された回転軸１２３が設けられたので、構成が簡潔にでき、安価な電気導通コネクタのロック・アンロック装置が得られる。
【００１７】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００１８】
【図１】本発明の一実施例の要部構成説明図である。
【図２】図１の平面図である。
【図３】図１の側面図である。
【図４】従来より一般に使用されている従来例の構成説明図である。
【図５】図４の平面図である。
【図６】図５の側面図である。
【図７】図４の丸印の箇所の拡大図である。
【図８】図７を模式的に示した図である。
【図９】図８の平面図である。
【図１０】図８の側面図である。
【図１１】図８の動作説明図である。
【符号の説明】
【００１９】
１      ベースプレート
２      電気導通コネクタ
３      ガイド部
４      操作レバー
５      操作レバーピン
６      切欠溝
１１    ガイドピン
１２    操作レバー
１２１  操作レバー本体
１２２  ガイドピンクランプ
１２３  回転軸
Ａ      矢印
【図１】
2007165218.tif 000003
【図２】
2007165218.tif 000004
【図３】
2007165218.tif 000005
【図４】
2007165218.tif 000006
【図５】
2007165218.tif 000007
【図６】
2007165218.tif 000008
【図７】
2007165218.tif 000009
【図８】
2007165218.tif 000010
【図９】
2007165218.tif 000011
【図１０】
2007165218.tif 000012
【図１１】
2007165218.tif 000013